(57)【特許請求の範囲】
【請求項１】
電子機器であって、
前記電子機器の異常のうち、予め設定された特定の異常である特定異常を検出する異常検出部と、
前記電子機器内の各部を制御する制御部と、
前記電子機器内の各部に駆動電力を供給する通常モードと、少なくとも前記制御部への駆動電力の供給を遮断するスリープモードとを有し、前記通常モードで前記異常検出部によって前記特定異常が検出されたとき、前記通常モードから前記スリープモードに移行するスリープ制御部と、
前記スリープ制御部を、前記スリープモードから前記通常モードに復帰させることを指示する復帰指示を受け付ける復帰指示受付部と、
前記特定異常に関する表示である特定表示を行う表示部と、
を備え、
前記スリープ制御部は、
前記通常モードで前記異常検出部によって前記特定異常が検出されたとき前記スリープモードに移行し、移行後のスリープモードで前記復帰指示受付部が前記復帰指示を受け付けたとき前記通常モードに移行し、移行後の通常モードで前記異常検出部によって前記特定異常が検出されることを含む異常再検出条件が満たされたとき前記表示部によって前記特定表示を行うことを特徴とする電子機器。
【請求項２】
前記特定異常として複数種類の異常が予め設定されており、
情報を記憶する記憶部をさらに備え、
前記スリープ制御部は、
前記通常モードで前記異常検出部によって前記特定異常が検出されたとき、当該検出された特定異常の種類を表す情報を前記記憶部に記憶させ、
前記異常再検出条件は、前記移行後の通常モードで前記特定異常が検出され、且つ当該検出された特定異常の種類が前記記憶部に記憶されていることである
ことを特徴とする請求項１に記載の電子機器。
【請求項３】
前記スリープ制御部は、
前記異常再検出条件が満たされたとき、さらに所定の装置停止処理を行う
ことを特徴とする請求項２に記載の電子機器。
【請求項４】
前記複数の特定異常のうちいずれかが、前記電子機器にとって危険度の高い異常である危険異常として予め設定されており、
前記スリープ制御部は、
前記通常モードで前記異常検出部によって前記危険異常である特定異常が検出されたときには、前記スリープモードに移行するとともにその後の通常モードへの移行を禁止する
ことを特徴とする請求項２に記載の電子機器。
【請求項５】
前記スリープ制御部は、
前記通常モードで前記異常検出部によって前記危険異常である特定異常が検出されたときには、前記表示部によって、前記危険異常が生じたことを通知させる
ことを特徴とする請求項４に記載の電子機器。
【請求項６】
請求項１乃至請求項５のいずれか１項に記載の電子機器と、
原稿の画像データを取得する画像取得部と、
前記画像取得部によって取得された画像データを記録紙に形成する画像形成部と、を備え、
前記制御部は、さらに前記画像取得部及び前記画像形成部の動作を制御する
ことを特徴とする画像形成装置。
【請求項７】
前記画像取得部によって取得された画像データを記憶するための画像記憶部をさらに備え、
前記スリープ制御部は、
前記スリープモードでは、前記画像取得部及び前記画像形成部への駆動電力の供給を遮断し、前記通常モードでは、前記画像取得部及び前記画像形成部に駆動電力を供給し、
前記通常モードで前記異常検出部によって前記特定異常が検出されたとき、前記画像取得部によって前記画像データがすでに取得されていれば、取得された画像データを前記画像記憶部に記憶させる
ことを特徴とする請求項６に記載の画像形成装置。
【発明の詳細な説明】
【技術分野】
【０００１】
本発明は、電子機器及び画像形成装置に関するものである。
【背景技術】
【０００２】
ファクシミリ装置、複写機、複合機などの電子機器が広く使用されている。特許文献１〜４には、電子機器に何らかの異常が発生したとき、異常が発生したことを通知することが記載されている。
【先行技術文献】
【特許文献】
【０００３】
【特許文献１】特開平１−９５０８４号公報
【特許文献２】特開２００３−１９８７８９号公報
【特許文献３】特開２００８−１２８６８号公報
【特許文献４】特開平８−２９２３６３号公報
【発明の概要】
【発明が解決しようとする課題】
【０００４】
電子機器は、サービスマンを呼ぶことが必要な異常である特定異常が発生したとき、電子機器の動作を停止させ、電子機器を復旧させるための再起動を指示する操作をユーザに促すための表示を行う場合がある。この場合、ユーザに、電子機器の再起動を指示する操作を強いることとなり、結果として、ユーザの手を煩わせることとなる。
【０００５】
また、電子機器は、特定異常が発生したとき、自動的に再起動する場合がある。再起動の際には、キャリブレーション等の処理が行われるため、電子機器で機械音が発生する。この場合、ユーザは、何ら電子機器を操作していないのに勝手に機械音が発生するため、違和感を持つ場合がある。
【０００６】
本発明は、上記の問題を解決するためになされたもので、特定異常が発生したときに、ユーザの手を煩わせたり、違和感を低減したりすることが可能な電子機器及び画像形成装置を提供することを目的とする。
【課題を解決するための手段】
【０００７】
本発明の一局面に係る電子機器は、電子機器であって、前記電子機器の異常のうち、予め設定された特定の異常である特定異常を検出する異常検出部と、前記電子機器内の各部を制御する制御部と、前記電子機器内の各部に駆動電力を供給する通常モードと、少なくとも前記制御部への駆動電力の供給を遮断するスリープモードとを有し、前記通常モードで前記異常検出部によって前記特定異常が検出されたとき、前記通常モードから前記スリープモードに移行するスリープ制御部と、前記スリープ制御部を、前記スリープモードから前記通常モードに復帰させることを指示する復帰指示を受け付ける復帰指示受付部と、前記特定異常に関する表示である特定表示を行う表示部と、を備え、前記スリープ制御部は、前記通常モードで前記異常検出部によって前記特定異常が検出されたとき前記スリープモードに移行し、移行後のスリープモードで前記復帰指示受付部が前記復帰指示を受け付けたとき前記通常モードに移行し、移行後の通常モードで前記異常検出部によって前記特定異常が検出されることを含む異常再検出条件が満たされたとき前記表示部によって前記特定表示を行うことを特徴とする。
【０００８】
ここにおいて、特定異常とは、装置の再起動やユーザの操作では解消できないために、サービスマンを呼んで対処することを依頼すべきような異常を意味する。
【０００９】
この構成によれば、スリープ制御部は、通常モードで、異常検出部によって電子機器の特定異常が検出されたとき、少なくとも、電子機器の各部を制御する制御部への駆動電力の供給を遮断するスリープモードに移行する。
【００１０】
これにより、ユーザが電子機器を何も操作しなくても、制御部への駆動電力の供給が停止して、当該制御部により制御される電子機器の各部の動作が停止する。
【００１１】
結果として、従来のように特定異常が発生したときに再起動を促す場合とは異なり、ユーザの手を煩わせない。
【００１２】
また、制御部への駆動電力の供給が遮断されることで制御部が初期化される。これにより、制御部に関する一時的な異常を解消させることが可能となる。
【００１３】
さらにまた、従来のように特定異常の発生時に自動的に再起動を行う場合と異なり、スリープモードになった後は自動的に通常モードに移行することがない。そのため、自動的に起動動作が行われることがなく、起動の際の機械音が発生しないため、ユーザが違和感を抱くおそれが低減される。
【００１５】
ここにおいて、特定異常に関する特定表示とは、ユーザにサービスマンを呼ぶことを促す表示である。
【００１６】
この構成によれば、通常モードで特定異常が検出されたときスリープモードに移行し、その後、スリープモードで復帰指示がされたとき通常モードに移行し、その通常モードで異常検出部によって特定異常が検出されたことを含む異常再検出条件が満たされたとき、当該検出された特定異常に関する特定表示が行われる。
【００１７】
これにより、２度特定異常が検出されたときに特定表示が行われるため、ユーザは、当該特定異常が誤検出されたものではないとみなして、サービスマンに連絡することができる。
【００１８】
上記構成において、前記特定異常として複数種類の異常が予め設定されており、情報を記憶する記憶部をさらに備え、前記スリープ制御部は、前記通常モードで前記異常検出部によって前記特定異常が検出されたとき、当該検出された特定異常の種類を表す情報を前記記憶部に記憶させ、前記異常再検出条件は、前記移行後の通常モードで前記特定異常が検出され、且つ当該検出された特定異常の種類が前記記憶部に記憶されていることであることが好ましい。
【００１９】
この構成によれば、通常モードで特定異常が検出されたときスリープモードに移行し、その後、スリープモードで復帰指示がされたとき通常モードに移行し、その通常モードで再度同じ特定異常が検出されたときに、当該特定異常に関する特定表示が行われる。
【００２０】
これにより、２度同じ種類の特定異常が検出されたときに特定表示が行われるため、ユーザは、当該特定異常が誤検出されたものではないとみなして、サービスマンに連絡することができる。
【００２１】
上記構成において、前記スリープ制御部は、前記異常再検出条件が満たされたとき、さらに所定の装置停止処理を行うことが好ましい。
【００２２】
ここにおいて、所定の装置停止処理は、例えば、電子機器の各部への駆動電力の供給を遮断することが挙げられる。また、スリープモードに移行することも挙げられる。
【００２３】
この構成によれば、異常再検出条件が満たされたときには、所定の装置停止処理が行われる。
【００２４】
これにより、２度特定異常が検出されたときに、所定の装置停止処理が行われて電子機器の動作が停止するため、電子機器の安全性を確保することが可能となる。
【００２５】
上記構成において、前記複数の特定異常のうちいずれかが、前記電子機器にとって危険度の高い異常である危険異常として予め設定されており、前記スリープ制御部は、前記通常モードで前記異常検出部によって前記危険異常である特定異常が検出されたときには、前記スリープモードに移行するとともにその後の通常モードへの移行を禁止することが好ましい。
【００２６】
この構成によれば、電子機器にとって危険性の高い異常である危険異常が検出されたとき、スリープモードに移行するとともにその後の通常モードへの移行を禁止する。
【００２７】
これにより、例えば、通常モードで、定着ローラを加熱するヒータが過熱したときのように、これ以上ヒータに駆動電力を供給すれば危険性が高い場合にスリープモードに移行してヒータへの駆動電力の供給が停止され、その後は、通常モードへの移行が禁止される。その結果、電子機器の安全性が保たれる。
【００２８】
上記構成において、前記スリープ制御部は、前記通常モードで前記異常検出部によって前記危険異常である特定異常が検出されたときには、前記表示部によって、前記危険異常が生じたことを通知させることが好ましい。
【００２９】
この構成によれば、ユーザに、サービスマンに連絡することを促すほか、警告を与えることができる。
【００３０】
また、本発明の他の局面に係る画像形成装置は、上述の電子機器と、原稿の画像データを取得する画像取得部と、前記画像取得部によって取得された画像データを記録紙に形成する画像形成部と、を備え、前記制御部は、さらに前記画像取得部及び前記画像形成部の動作を制御することを特徴とする。
【００３１】
この構成によれば、上述の電子機器を備えているため、特定異常が発生したときに、ユーザの手を煩わせたり、違和感を低減したりすることが可能となる。
【００３２】
上記構成において、前記画像取得部によって取得された画像データを記憶するための画像記憶部をさらに備え、前記スリープ制御部は、前記スリープモードでは、前記画像取得部及び前記画像形成部への駆動電力の供給を遮断し、前記通常モードでは、前記画像取得部及び前記画像形成部に駆動電力を供給し、前記通常モードで前記異常検出部によって前記特定異常が検出されたとき、前記画像取得部によって前記画像データがすでに取得されていれば、取得された画像データを前記画像記憶部に記憶させることが好ましい。
【００３３】
この構成によれば、通常モードで特定異常が検出されたとき、画像取得部によって画像データがすでに取得されていれば、取得された画像データを画像記憶部に記憶させた後、スリープモードを実行する。その後、スリープモードから通常モードに移行する。
【００３４】
これにより、特定異常が検出されたとき、画像取得部によって画像データがすでに取得されていれば、取得された画像データを画像記憶部に記憶させ、その状態で、スリープモードを実行して画像取得部及び画像形成部への駆動電力の供給を停止させる。
【００３５】
その後、通常モードに移行して画像取得部及び画像形成部への駆動電力の供給を再開させる。
【００３６】
そのため、印字ジョブの実行中に、特定異常として、例えば、画像メモリへのアクセスができないといったアクセス異常や、印字ジョブの実行に用いられるモータが回転しないといった回転異常が発生したときに、画像取得部によって取得された画像データを消去させずに、画像メモリやモータをリセットすることが可能となる。
【００３７】
その結果、スリープモードから通常モードに移行したときに、画像データの再取得を行うことなく、当該画像データの印字を再開させることが可能となる。
【発明の効果】
【００３８】
本発明によれば、電子機器で特定異常が発生したとき、ユーザの手を煩わせたり、違和感を抱かせたりするおそれを低減することが可能となる。
【図面の簡単な説明】
【００３９】
【図１】本発明の一実施形態に係る画像形成装置の構成の一例を模式的に示した縦断面図である。
【図２】ユーザインタフェース部の構成の一例を示した正面図である。
【図３】画像形成装置の機能モジュールの一例を示したブロック図である。
【図４】画像形成装置の動作の第１例を示したフローチャートである。
【図５】画像形成装置の動作の第２例を示したフローチャートである。
【図６】画像形成装置の動作の第２例を示したフローチャートである。
【図７】画像形成装置の動作の第２例を示したフローチャートである。
【図８】画像形成装置の動作の第２例を示したフローチャートである。
【発明を実施するための形態】
【００４０】
図１は、本発明の一実施形態に係る画像形成装置の構成の一例を模式的に示した縦断面図である。尚、本実施形態では、電子機器として、画像形成装置１を例示しているが、この例には限られず、少なくとも制御部への駆動電力の供給を遮断するスリープモードと、画像形成装置１の各部に駆動電力を供給する通常モードとを備える装置であればよい。
【００４１】
画像形成装置１は、画像読取部２００と画像形成本体部３とを備える。画像読取部２００は、原稿給紙部２１０と、スキャナ本体２２０と、ＣＩＳ２３１と、スキャナ本体２２０の前面に露出するように配置されたユーザインタフェース部Ｉと、後述する反転機構を備えてなる。
【００４２】
原稿給紙部２１０は、ＡＤＦ（Ａｕｔｏｍａｔｉｃ  Ｄｏｃｕｍｅｎｔ  Ｆｅｅｄｅｒ）を備え、原稿トレイ２１１、ピックアップローラ２１２、プラテン２１３、排紙ローラ２１４及び排紙トレイ２１５を有する。
【００４３】
原稿トレイ２１１には、読取対象とされる原稿が載置される。原稿トレイ２１１に載置された原稿は、１枚ずつピックアップローラ２１２によって取り込まれ、間隙を介して順次プラテン２１３へ搬送される。プラテン２１３を経由した原稿は、排紙ローラ２１４によって排紙トレイ２１５へ順次排出される。
【００４４】
前記プラテン２１３の周面に対向する位置のうち、原稿の搬送方向において読取位置Ｐより手前の予め定められた位置には、用紙を検出する図略のタイミングセンサが設置されており、該タイミングセンサの出力要求に基づき、前記読取位置Ｐへの原稿の搬送タイミングが図られる。前記タイミングセンサは、例えばフォトインタラプタにより構成される。
【００４５】
スキャナ本体２２０は、原稿の画像データを光学的に読み取って画像データを生成するものである。スキャナ本体２２０は、ガラス（原稿台）２２１、光源２２２、第１ミラー２２３、第２ミラー２２４、第３ミラー２２５、第１キャリッジ２２６、第２キャリッジ２２７、結像レンズ２２８、ラインセンサ２２９を備える。
【００４６】
スキャナ本体２２０では、光源２２２から照射された光が、ガラス２２１上の原稿に反射して反射光となり、この反射光が、第１ミラー２２３、第２ミラー２２４、第３ミラー２２５、第１キャリッジ２２６、第２キャリッジ２２７及び結像レンズ２２８により、ラインセンサ２２９に導かれる。
【００４７】
そして、ラインセンサ２２９に導かれた光は、ラインセンサ２２９により、画像データを表す電荷に変換される。
【００４８】
ガラス２２１には、前記原稿給紙部２１０によらない原稿読取時に、ユーザの手動により原稿が載置される。光源２２２及び第１ミラー２２３は第１キャリッジ２２６によって支持され、第２ミラー２２４及び第３ミラー２２５は第２キャリッジ２２７によって支持されている。
【００４９】
画像読取部２００の原稿読取方式として、ガラス２２１上に載置された原稿をスキャナ本体２２０が読み取るフラットベッド読取モードと、原稿を原稿給紙部２１０（ＡＤＦ）によって取り込み、その搬送途中で原稿を読み取るＡＤＦ読取モードがある。
【００５０】
フラットベッド読取モードでは、光源２２２がガラス２２１上に載置された原稿を照射し、主走査方向１ライン分の反射光が第１ミラー２２３、第２ミラー２２４、第３ミラー２２５の順に反射して、結像レンズ２２８に入射する。結像レンズ２２８に入射した光はラインセンサ２２９の受光面で結像される。
【００５１】
ラインセンサ２２９は一次元のイメージセンサであり、１ライン分の原稿の画像データを重複して処理する。第１キャリッジ２２６及び第２キャリッジ２２７は、主走査方向と直交する方向（副走査方向Ｙ）に移動可能に構成されており、１ライン分の読み取りが終了すると、副走査方向に第１キャリッジ２２６及び第２キャリッジ２２７が移動し、次のラインの読み取りが行われる。
【００５２】
ＡＤＦ読取モードでは、原稿給紙部２１０が原稿トレイ２１１に載置された原稿をピックアップローラ２１２によって１枚ずつ取り込む。このとき、第１キャリッジ２２６及び第２キャリッジ２２７は、読取窓２３０の下方に位置する予め定められた読取位置Ｐに配置される。
【００５３】
原稿給紙部２１０による原稿搬送で、原稿がプラテン２１３から排紙トレイ２１５への搬送経路に設けられた読取窓２３０上を通過するとき、光源２２２が原稿を照射し、主走査１ライン分の反射光が第１ミラー２２３、第２ミラー２２４、第３ミラー２２５の順に反射して、結像レンズ２２８に入射する。結像レンズ２２８に入射した光はラインセンサ２２９の受光面で結像される。続いて原稿は原稿給紙部２１０によって搬送され、次のラインが読み取られる。
【００５４】
更に、原稿給紙部２１０は、切換ガイド２１６、反転ローラ２１７及び反転搬送路２１８を備えた反転機構を有する。この反転機構が、１回目のＡＤＦ読み取りによって表面が読み取られた原稿を表裏反転させて読取窓２３０に再搬送することで、再度ラインセンサ２２９によって裏面の読み取りが行われる。
【００５５】
この反転機構は、両面読み取り時にのみ動作し、片面読み取り時は動作しない。片面読み取り時及び両面読み取り時において裏面の読み取り後、切換ガイド２１６は上側に切り替えられ、プラテン２１３を経た原稿は、排紙ローラ２１４によって排紙トレイ２１５に排紙される。
【００５６】
両面読み取り時における表面読み取り後、切換ガイド２１６は下側に切り替えられ、プラテン２１３を経た原稿は反転ローラ２１７によって反転搬送路２１８へ搬送される。その後、切換ガイド２１６は上側へ切り替わり、反転ローラ２１７が逆回転して原稿をプラテン２１３へ再給紙する。以下、反転機構を用いて原稿の両面を読み取らせるモードを両面反転読取モードと表記する。
【００５７】
更に、本実施形態の画像読取部２００は、ＡＤＦ読取モード時において、前述したように原稿の搬送途中でラインセンサ２２９（スキャナ本体２２０）によって原稿の表面の読み取りを行わせると略重複して（略並行して）、ＣＩＳ２３１によって原稿の裏面の読み取りを行わせることが可能である。この場合、原稿トレイ２１１から原稿給紙部２１０により搬送された原稿は、読取窓２３０上を通過するときにラインセンサ２２９によって表面が読み取られ、更にＣＩＳ２３１の配置箇所を通過する際に裏面が読み取られる。なお、ＣＩＳ２３１では、光源としてＲＧＢの３色ＬＥＤ等が用いられる。
【００５８】
このようにラインセンサ２２９とＣＩＳ２３１を用いることで、原稿給紙部２１０による原稿トレイ２１１から排紙トレイ２１５までの一回の原稿搬送操作（ワンパス）によって原稿の表裏両面の読み取りが可能となる。
【００５９】
画像形成装置１は、画像形成本体部３と、画像形成本体部３の左方に配設されたスタックトレイ６とを有している。画像形成本体部３は、複数の給紙カセット４６１と、給紙カセット４６１から記録紙を１枚ずつ繰り出して画像形成部４０へ搬送する給紙ローラ４６２と、給紙カセット４６１から搬送されてきた記録紙に画像データを形成する画像形成部４０とを備える。また、画像形成本体部３は、給紙トレイ４７１と該給紙トレイ４７１に載置された原稿を１枚ずつ画像形成部４０に向けて繰り出す繰り出しローラ４７２とを備える。
【００６０】
画像形成部４０は、感光体ドラム４３の表面から残留電荷を除電する除電装置４２１と、除電後の感光体ドラム４３の表面を帯電させる帯電装置４２２と、スキャナ本体２２０で取得された画像データに基づいてレーザ光を出力して感光体ドラム４３の表面を露光し、当該感光体ドラム４３の表面に静電潜像を形成する露光装置４２３と、前記静電潜像に基づいて感光体ドラム４３上に、シアン（Ｃ）、マゼンタ（Ｍ）、イエロー（Ｙ）及びブラック（Ｋ）の各色のトナー像を形成する現像装置４４Ｋ，４４Ｙ，４４Ｍ，４４Ｃと、感光体ドラム４３に形成された各色のトナー画像データが転写されて重ね合わせされる転写ドラム４９と、転写ドラム４９上のトナー像を用紙に転写させる転写装置４１と、トナー像が転写された用紙を加熱してトナー像を用紙に定着させる定着装置４５とを備えている。
【００６１】
なお、シアン、マゼンタ、イエロー及びブラックの各色の供給は、図略のトナーカートリッジから行われる。また、画像形成部４０を通過した記録紙をスタックトレイ６又は排出トレイ４８まで搬送する搬送ローラ４６３，４６４等が設けられている。
【００６２】
記録紙の両面に画像データを形成する場合は、画像形成部４０で記録紙の一方の面に画像データを形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って画像形成部４０の上流域に再度搬送し、画像形成部４０により他方の面に画像データを形成した後、記録紙をスタックトレイ６又は排出トレイ４８に排出する。
【００６３】
図２は、ユーザインタフェース部Ｉの構成の一例を示した正面図である。
【００６４】
ユーザインタフェース部Ｉは、液晶パネル５０や発光ダイオード５１で構成された表示部５、及び、操作部１８を備える。液晶パネル５０は、画像形成装置１に、画像形成装置１で発生する異常のうち、ユーザにサービスマンを呼んで対処させることを促すべき異常である特定異常が発生したとき、特定異常に関する表示である特定表示、つまり、ユーザにサービスマンを呼ぶことを促すような表示を行う。
【００６５】
発光ダイオード５１は、画像形成装置１に、画像形成装置１で発生する特定異常のうち、画像形成装置１にとって危険度の高い異常である危険異常が発生したとき、点灯或いは点滅する。
【００６６】
ユーザインタフェース部Ｉは、操作部１８として、操作ボタン１８Ａ〜１８Ｊを備える。操作ボタン１８Ａ〜１８Ｄは、まとまった状態で機能選択ボタン群１８０を構成している。操作ボタン１８Ａから１８Ｄの各々は、コピー、プリンタ、スキャナ、及びＦＡＸのいずれか１つの機能を画像形成装置１に実行させるためにユーザが操作する操作ボタンである。
【００６７】
操作ボタン１８Ｈは、複数まとまった状態で数字キー群を構成している。この数字キー群は、例えば、画像形成装置１にコピー機能を動作させる際はコピー枚数を、ファクシミリ機能を動作させる際は送信先の電話番号等を入力するためのものである。
【００６８】
操作ボタン１８Ｅは、リセットボタンを構成しており、表示部５の表示や各種設定を初期状態又は標準動作状態にするボタンである。
【００６９】
操作ボタン１８Ｆは、ストップ／クリアボタンを構成しており、コピー動作やスキャナ動作等の停止、入力操作の取り消しを行うボタンである。操作ボタン１８Ｇは、スタートボタンを構成しており、コピー動作やスキャナ動作等を開始させるボタンである。
【００７０】
操作ボタン１８Ｉは、スリープ制御部１６をスリープモードから通常モードに移行させるためのボタンである。この操作ボタン１８Ｉが操作されたとき、ユーザインタフェースＩは、スリープ制御部１６をスリープモードから通常モードに移行させることを指示する復帰指示を受け付ける。
【００７１】
ユーザインタフェース部Ｉでは、操作キー１８Ａが操作されたとき、コピー機能が選択される。コピー機能は、画像読取部２００によって原稿の画像データを読み取り、画像形成部４０によって原稿の画像データを記録紙に形成する機能である。ユーザインタフェース部Ｉは、コピー機能が選択され、スタートキー１８Ｇが操作されたとき、コピー機能の実行指示を、印字ジョブの実行指示として受け付ける。
【００７２】
また、操作キー１８Ｂが操作されたとき、プリンタ機能の実行指示を受け付ける。プリンタ機能は、外部インタフェース１９（図３参照）によって原稿の画像データを受信し、画像形成部４０によって画像データを形成する機能である。
【００７３】
さらに、操作キー１８Ｃが操作され、スタートキー１８Ｇが操作されたとき、画像読取部２００によって原稿の画像データを読み取り、画像データを画像メモリ１１（図３参照）に記憶させるスキャナ機能の実行指示を受け付ける。
【００７４】
さらに、操作キー１８Ｄが操作され、スタートキー１８Ｇが操作されたとき、画像読取部２００によって原稿の画像データを読み取り、画像データをファクシミリ送信するファクシミリ機能の実行指示を受け付ける。
【００７５】
図３は、画像形成装置１の機能モジュールの一例を示したブロック図である。尚、画像読取部２００、画像形成部４０、及びユーザインタフェースＩについては、先述した通りであるため、これらについての説明を省略する。また、通常電源部１５及びスリープ電源部２０による電源供給ラインを実線で、制御部１０の制御ラインを破線で、スリープ制御部１６の制御ラインを２点鎖線で、それぞれ示している。
【００７６】
画像形成装置１は、制御部１０、画像読取部２００、画像メモリ（画像取得部）１１、定着ローラなどの各種ローラやベルトを回転させるためのモータＭが配置された画像形成部４０、異常種類記憶部（記憶部）１３、ハードディスク（画像記憶部）１４、通常電源部１５、スリープ制御部１６、復帰指示受付部１７、外部インタフェース１９、スリープ電源部２０、ユーザインタフェースＩ、トライアック２１、定着ヒータ２２、リレー回路２３、及び、電源リレー２４、を備える。
【００７７】
制御部１０は、ＣＰＵ（Central Processing Unit）、ＲＡＭ（Random Access Memory）、ＲＯＭ（Read Only Memory）などで構成されている。そして、ＣＰＵが所定の制御プログラムを実行することにより、異常検出部１２が実現されている。
【００７８】
異常検出部１２は、画像形成装置１で発生した異常を検出する。例えば、異常検出部１２は、異常として、定着ヒータ２２の過熱を、温度センサにより検出された定着ヒータ２２の温度に基づいて検出する。
【００７９】
或いは、異常検出部１２は、異常として、画像メモリ１１にアクセスできないアクセス異常や、モータＭが回転しない回転異常を検出する。
【００８０】
制御部１０は、通常モードにおいて、定着ヒータ２２、画像読取部２００、画像メモリ１１、画像形成部４０、異常種類記憶部１３、及びスリープ制御部１６を制御する。
【００８１】
制御部１０は、ユーザインタフェース部Ｉによって、コピー機能、プリンタ機能、スキャナ機能、及びファクシミリ機能のいずれかの実行指示が受け付けられたとき、実行指示されたいずれかの機能を実行する。
【００８２】
例えば、制御部１０は、ユーザインタフェース部Ｉによってコピー機能の実行指示が印字ジョブの実行指示として受け付けられたとき、印字ジョブを実行して、画像読取部２００により原稿の画像データを読み取り、当該画像データを画像メモリ１１に記憶させ、画像メモリ１１内の画像データを画像形成部４０により記録紙に形成させる。
【００８３】
或いは、制御部１０は、ユーザインタフェース部Ｉによってプリンタ機能の実行指示が受け付けられ、且つ外部インタフェース１９によって印字ジョブの実行指示が受け付けられたとき、印字ジョブを実行して、外部インタフェース１９によって取得された画像データを画像メモリ１１に記憶させ、画像メモリ１１内の画像データを画像形成部４０により記録紙に形成させる。
【００８４】
或いは、制御部１０は、ユーザインタフェース部Ｉによってプリンタ機能の実行指示が受け付けられていないときでも、外部インタフェース１９によって印字ジョブの実行指示が受け付けられたとき、印字ジョブを実行して、外部インタフェース１９によって取得された画像データを画像メモリ１１に記憶させ、画像メモリ１１内の画像データを画像形成部４０により記録紙に形成させる。
【００８５】
このような構成の制御部１０には、複数種類の特定異常が予め設定されており、異常検出部１２によって異常が検出されたとき、検出された異常が特定異常であるか否かを判定する。
【００８６】
尚、特定異常とは、画像形成装置１で発生する異常のうち、画像形成装置１の再起動やユーザの操作では解消できないために、サービスマンを呼んで対処することを依頼すべきような異常を意味する。例えば、特定異常としては、定着ヒータ２２の過熱、画像メモリ１１へのアクセス不良、モータＭの回転不良などの種類がある。
【００８７】
また、制御部１０には、特定異常の一部が危険異常として予め設定されており、制御部１０は、異常検出部１２によって検出された異常が特定異常であると判定したとき、当該特定異常が危険異常であるか否かを判定する。ここにおいて、危険異常とは、特定異常の中でも、例えば、定着ヒータ２２の過熱など、画像形成装置１にとって危険度の高い異常である。
【００８８】
そして、検出された異常が特定異常であり且つ危険異常ではないときには、制御部１０は、第１の特定異常通知信号をスリープ制御部１６に出力し、検出された異常が特定異常であり且つ危険異常であるときには、制御部１０は、第２の特定異常通知信号をスリープ制御部１６に出力する。
【００８９】
画像メモリ１１は、画像読取部２００によって読み取られた画像データ、或いは、外部インタフェース１９によって取得された画像データを記憶する。
【００９０】
異常種類記憶部１３は、ＥＥＰＲＯＭなどの不揮発性のメモリで構成されており、異常検出部１２によって検出された特定異常の種類を表す情報を記憶する。ハードディスク１４は、画像メモリ１１に記憶された画像データを受け付けて当該画像データを記憶する。
【００９１】
通常電源部１５は、商用交流電力を変圧及び整流することにより、制御部１０、画像読取部２００、画像メモリ１１、画像形成部４０、及びハードディスク１４の駆動電力を生成し、当該駆動電力をこれら各部へ供給する。
【００９２】
スリープ制御部１６は、制御部１０と同様に、ＣＰＵ、ＲＡＭ、ＲＯＭなどで構成されている。
【００９３】
スリープ制御部１６は、スリープモードと通常モードとを備えており、通常モードで、制御部１０から、第１の特定異常通知信号及び第２の特定異常通知信号のいずれかを受け付けたとき、後述する各種の処理を行う。
【００９４】
そしてまた、スリープ制御部１６は、スリープモードで、後述する復帰指示受付部１７が復帰指示を受け付けたとき、通常モードに移行する。
【００９５】
スリープ制御部１６では、ＣＰＵが所定の制御プログラムを実行することにより、復帰指示受付部１７が実現されている。
【００９６】
スリープ制御部１６は、リレー回路２３、ユーザインタフェースＩ、及び外部インタフェース１９を制御する。
【００９７】
スリープ制御部１６は、通常モードにおいて、所定のスリープ移行時間以上の期間、操作部１８が操作されなかったり、外部インタフェース１９が印字ジョブを受け付けなかったときには、通常モードからスリープモードに移行する。
【００９８】
スリープ制御部１６は、通常モードでは、リレー回路２３を閉状態にして、定着ヒータ２２、制御部１０、画像読取部２００、画像メモリ１１、画像形成部４０、及びハードディスク１４へ駆動電力を供給する。
【００９９】
一方、スリープモードでは、リレー回路２３を開状態にして、定着ヒータ２２、制御部１０、画像読取部２００、画像メモリ１１、画像形成部４０、及びハードディスク１４への駆動電力の供給を遮断する。このように、スリープモードでは、通常モードとは異なり、定着ヒータ２２、制御部１０、画像読取部２００、画像メモリ１１、画像形成部４０、及びハードディスク１４への駆動電力の供給を遮断するため、通常モードよりも消費電力を低減することができる。
【０１００】
復帰指示受付部１７は、ユーザインタフェース部Ｉによって、印字ジョブ、プリンタ機能、スキャナ機能、及びファクシミリ機能のいずれかの実行指示が受け付けられたとき、スリープ制御部１６をスリープモードから通常モードに移行させるための復帰指示を受け付ける。
【０１０１】
また、復帰指示受付部１７は、ユーザインタフェースＩにおいて、スリープ制御部１６を通常モードに復帰させるための操作ボタン１８Ｉが操作されたとき、前記復帰指示を受け付ける。
【０１０２】
或いは、復帰指示受付部１７は、ユーザインタフェース部Ｉによって、印字ジョブ、プリンタ機能、スキャナ機能、及びファクシミリ機能のいずれの機能の実行指示が受け付けられていない状態でも、スリープモードにおいて、外部インタフェース１９によって印字ジョブの実行指示が受け付けられたとき、前記復帰指示を受け付ける。
【０１０３】
或いは、復帰指示受付部１７は、図示しない電源スイッチがオフからオンされたときにも、前記復帰指示を受け付ける。 
【０１０４】
尚、復帰指示受付部１７が復帰指示を受け付けた際には、スリープ制御部１６は、スリープモードから通常モードに移行する。
【０１０５】
外部インタフェース１９は、ＬＡＮなどの通信ネットワークを通じて、外部のパーソナルコンピュータなどの端末装置から印字ジョブの実行指示を受け付けるインタフェース回路である。
【０１０６】
スリープ電源部２０は、通常電源部１５と同様に、商用交流電力を変圧及び整流して、スリープ制御部１６、異常種類記憶部１３、ユーザインタフェースＩ、及び外部インタフェース１９の駆動電力を生成し、当該駆動電力をこれら各部に供給する。
【０１０７】
トライアック２１は、商用交流電力の大きさを、定着ヒータ２２に合わせて調整し、調整された電力を定着ヒータ２２に供給する。定着ヒータ２２は、定着装置４５の定着ローラ（図示せず）を加熱させるために配置されている。
【０１０８】
定着ヒータ２２は、定着装置４５の定着ローラ（図示せず）の温度が記録紙に画像を形成するのに適した温度となるように、制御部１０によりオンオフ制御される。
【０１０９】
リレー回路２３は、例えば、２組の電磁リレーで構成されており、これら２組の電磁リレーが同時にオンオフする。リレー回路２３は、スリープ制御部１６により制御され、閉状態及び開状態のいずれか一方の状態となる。
【０１１０】
電源リレー２４は、商用交流電力の画像形成装置１への供給をオンオフするための回路であり、例えば、電磁リレーで構成されている。電源リレー２４は、スリープ制御部１６により制御されて、閉状態及び開状態のいずれか一方の状態となる。
【０１１１】
以上の構成の画像形成装置１の動作の第１例について、以下に説明する。
【０１１２】
図４は、画像形成装置１の動作の第１例を示したフローチャートである。尚、以下の動作を実行するには、画像読取部２００、画像メモリ１１、画像形成部４０、異常種類記憶部１３、及びハードディスク１４は必要とはされない。
【０１１３】
また、以下の処理では、電源リレー２４は閉状態とされて、商用交流電力が画像形成装置１に供給されているものとする。
【０１１４】
制御部１０は、異常検出部１２によって画像形成装置１の異常が検出されたとき（ステップＳ１のＹＥＳ）、検出された異常が予め設定された特定異常であるか否かを判断する（ステップＳ２）。
【０１１５】
異常検出部１２によって検出された異常が特定異常であるとき（ステップＳ２のＹＥＳ）、制御部１０からは、第１の特定異常通知信号か第２の特定異常通知信号（いずれも先述）がスリープ制御部１６に出力されるので、スリープ制御部１６は、スリープモードに移行する（ステップＳ３）。
【０１１６】
これにより、定着ヒータ２２、制御部１０、画像読取部２００、画像メモリ１１、画像形成部４０、異常種類記憶部４０、及びハードディスク１４への駆動電力の供給が遮断される。
【０１１７】
一方、特定異常ではないとき（ステップＳ２のＮＯ）、制御部１０は、所定の異常表示を行い（ステップＳ６）、例えば、液晶パネル５０に異常の種類を表示させる。
【０１１８】
そして、スリープモードにおいて、復帰指示受付部１７によって、スリープ制御部１６を通常モードに移行させることを指示する復帰指示が受け付けられたとき（ステップＳ４のＹＥＳ）、スリープ制御部１６は、スリープモードから通常モードに移行する（ステップＳ５）。
【０１１９】
これにより、定着ヒータ２２、制御部１０、画像読取部２００、画像メモリ１１、画像形成部４０、異常種類記憶部４０、及びハードディスク１４への駆動電力の供給が再開される。そうすると、これら各部が一度電源オフされて再起動される結果、再起動により解消可能な一時的な異常が解消する。
【０１２０】
このように、通常モードで、画像形成装置１の特定異常が検出されたとき、少なくとも、画像形成装置１の各部を制御する制御部１０への駆動電力の供給を遮断するスリープモードに移行する。
【０１２１】
これにより、通常モードで画像形成装置１に特定異常が発生したとき、ユーザが画像形成装置１を何も操作しなくても、制御部１０への駆動電力の供給が停止して、当該制御部１０により制御される画像形成装置１の各部の動作が停止する。
【０１２２】
その結果、従来のように特定異常が発生したときに再起動を促す場合とは異なり、ユーザの手を煩わせない。
【０１２３】
また、従来のように特定異常の発生時に自動的に再起動を行う場合と異なり、スリープモードになった後は自動的に通常モードに移行することがない。そのため、自動的に起動動作が行われることがなく、起動の際の機械音が発生しないため、ユーザが違和感を抱くおそれが低減される。
【０１２４】
（第２例）
以下、画像形成装置１の動作の第２例について、図５〜図８を用いて説明する。尚、以下の処理では、電源リレー２４は閉状態とされて、商用交流電力が画像形成装置１に供給されているものとする。
【０１２５】
図５は、画像形成装置１の動作の概要の一例を示したフローチャートである。
【０１２６】
通常モードにおいて、異常検出部１２によって画像形成装置１の異常が検出されたとき（ステップＳ１０のＹＥＳ）、制御部１０は、検出された異常が特定異常であるか否かを判断する（ステップＳ１１）。
【０１２７】
異常検出部１２によって検出された異常が特定異常であるとき（ステップＳ１１のＹＥＳ）、制御部１０は、ステップＳ１２の処理に進み、特定異常ではないとき（ステップＳ１１のＮＯ）、検出された異常はユーザの操作により解消可能であるので、制御部１０は、表示部５によって、異常を解消させるためのガイド表示を行う（ステップＳ１５）。
【０１２８】
ステップＳ１２では、制御部１０は、異常検出部１２によって検出された異常が予め設定された危険異常であるか否かを判定する。危険異常であるときには（ステップＳ１２のＹＥＳ）、制御部１０は、ステップＳ４０（図８参照）に進み、危険異常でないときには（ステップＳ１２のＮＯ）、制御部１０は、スリープ制御部１６に第１の特定異常通知信号を出力する（ステップＳ１３）。
【０１２９】
スリープ制御部１６は、ステップＳ１３において制御部１０から第１の特定異常通知信号が出力されると、異常種類記憶部１３に何らかの特定異常の種類を表す情報が記憶されているか否かを判定する（ステップＳ１４）。
【０１３０】
何らかの特定異常の種類を表す情報が記憶されていないときには（ステップＳ１４のＮＯ）、初めて特定異常が発生したことを意味するから、スリープ制御部１６は、ステップＳ２０（図６参照）に進み、記憶されているときには（ステップＳ１４のＹＥＳ）、特定異常が繰り返し発生したことになるから、スリープ制御部１６は、ステップＳ３０（図７参照）に進む。
【０１３１】
図６は、異常種類記憶部１３に特定異常の種類を表す情報が記憶されていないときの動作の概要の一例を示したフローチャートである。
【０１３２】
スリープ制御部１６は、異常種類記憶部１３に特定異常の種類を表す情報が記憶されていないときには（ステップＳ１４のＮＯ）、異常検出部１２によって検出された特定異常の種類を表す情報を、異常種類記憶部１３に記憶させる（ステップ２０）。
【０１３３】
そして、スリープ制御部１６は、画像メモリ１１に画像データが記憶されているか否かを判定する（ステップＳ２１）。画像メモリ１１に画像データが記憶されていなければ（ステップＳ２１のＮＯ）、スリープ制御部１６は、ステップＳ２３の処理に進み、画像データが記憶されていれば（ステップＳ２１のＹＥＳ）、スリープ制御部１６は、画像メモリ１１内の画像データをハードディスク１４に記憶させてから（ステップＳ２２）、ステップＳ２３に進む。
【０１３４】
尚、ステップＳ２２において、画像メモリ１１内の画像データについて、ハードディスク１４に記憶させるのではなく、通常電源部１５により駆動電力の供給を受ける、不揮発性メモリに記憶させてもよい。
【０１３５】
ステップＳ２３では、スリープ制御部１６はスリープモードに移行する。そして、復帰指示受付部１７が復帰指示を受け付けたとき（ステップＳ２４のＹＥＳ）、スリープ制御部１６は、スリープモードから通常モードに移行する（ステップＳ２５）。
【０１３６】
その後、制御部１０及びスリープ制御部１６は、図５のステップＳ１０に戻る。尚、スリープ制御部１６は、移行後のスリープモードにおいて復帰指示を受け付けてから通常モードに移行しているが、スリープモードに移行後、復帰指示を受け付けずに即座に通常モードに移行してもよい。
【０１３７】
図７は、図５のステップＳ１４において、特定異常の種類を表す情報が異常種類記憶部１３に記憶されていると判定されたときの動作の概要の一例を示したフローチャートである。
【０１３８】
図５のステップＳ１４において、特定異常の種類を表す情報が異常種類記憶部１３に記憶されていると判定されたとき（ステップＳ１４のＹＥＳ）、スリープ制御部１６は、異常検出部１２によって検出された特定異常が、異常種類記憶部１３に記憶された特定異常の種類と同じであるか否かを判定する（ステップＳ３０）。
【０１３９】
同じ種類の異常ではないとき（ステップＳ３０のＮＯ）、スリープ制御部１６は、スリープモードに移行する一方で（ステップＳ３３）、同じ種類の異常であるとき（ステップＳ３０のＹＥＳ）、異常再検出条件が満たされるので、スリープ制御部１６は、異常検出部１２によって検出された特定異常に関する特定表示を行う（ステップＳ３１）、例えば、スリープ制御部１６は、特定表示として、液晶パネル５０に、ユーザにサービスマンを呼ぶことを促す表示を行う。
【０１４０】
尚、特定表示としては、例えば、特定異常の種類の１つである、定着ヒータ２２の過熱が発生したときには、「Ｃ６０１０：定着ヒータ異常」といった表示を行わせる。
【０１４１】
そして、スリープ制御部１６は、装置停止処理を行い（ステップＳ３２）、例えば、電源リレー２４を閉状態から開状態として、商用交流電力の画像形成装置１への電源供給を遮断させる。なお、装置停止処理は、電源リレー２４を閉状態から開状態とするのではなく、リレー回路２３を閉状態から開状態として、スリープ制御部１６、ユーザインタフェースＩ、及び、外部インタフェース１９以外の各部への駆動電力の供給を遮断するスリープモードに移行する処理であってもよい。
【０１４２】
以上のように、通常モードで特定異常が検出されたときスリープモードに移行し、その後、スリープモードで復帰指示がされたとき通常モードに移行し、その通常モードで再度同じ特定異常が検出されたときに、特定表示が行われる。
【０１４３】
これにより、２度同じ種類の特定異常が検出されたときに特定表示が行われるため、ユーザは、特定異常が誤検出されたものではないとみなして、サービスマンに連絡することができる。
【０１４４】
また、２度同じ種類の特定異常が検出されたときに装置停止処理が行われて電子機器の動作が停止するため、電子機器の安全性を確保することが可能となる。
【０１４５】
さらに、特定異常が検出されたとき、画像メモリ１１に画像データが存在すれば、画像メモリ１１内の画像データをハードディスク１４に記憶させてからスリープモードに移行し、その後、通常モードに移行する。
【０１４６】
そのため、印字ジョブの実行中に、特定異常として、例えば、画像メモリ１１へのアクセスができないといったアクセス異常や、印字ジョブの実行に用いられるモータＭが回転しないといった回転異常が発生したときに、画像メモリ１１内の画像データを消去させずに、画像メモリ１１やモータＭをリセットすることが可能となる。
【０１４７】
その結果、スリープモードから通常モードに移行したときに、画像データの再取得を行うことなく、当該画像データの印字を再開させることが可能となる。
【０１４８】
図５に戻り、異常検出部１２によって検出された特定異常が予め設定された危険異常であると判定されたときには（ステップＳ１２のＹＥＳ）、画像形成装置１は図８の処理を行う。図８は、図５のステップＳ１２において危険異常であると判定されたときの動作の概要の一例を示したフローチャートである。
【０１４９】
異常検出部１２によって検出された特定異常が予め設定された危険異常であるときには（ステップＳ１２のＹＥＳ）、制御部１０は、スリープ制御部１６に、第２の特定異常通知信号を出力する（ステップＳ４０）。すると、スリープ制御部１６は、スリープモードに移行するとともに（ステップＳ４１）、発光ダイオード５１を点灯或いは点滅させることにより危険異常が生じたことを通知する（ステップＳ４２）。
【０１５０】
そして、スリープ制御部１６は、通常モードへの移行を禁止する（ステップＳ４３）。この場合、復帰指示受付部１７が復帰指示を受け付けても、スリープ制御部１６は通常モードには復帰しない。
【０１５１】
以上のように、画像形成装置１にとって危険性の高い異常である危険異常が検出されたとき、スリープモードに移行するとともに通常モードへの移行を禁止する。
【０１５２】
これにより、例えば、通常モードで、定着ローラを加熱するヒータが過熱したときのように、これ以上ヒータに駆動電力を供給すれば危険性が高い場合にスリープモードに移行してヒータへの駆動電力の供給が停止され、その後は、通常モードへの移行が禁止される。その結果、画像形成装置１の安全性が保たれる。
【０１５３】
また、危険異常が検出されたときには、発光ダイオード５１を点灯或いは点滅させるので、ユーザは、危険性の高い異常が発生したことを容易に確認できる。
【符号の説明】
【０１５４】
１    画像形成装置
５    表示部
１０    制御部
１１    画像メモリ
１２    異常検出部
１３    異常種類記憶部
１４    ハードディスク
１６    スリープ制御部
１７    復帰指示受付部
４０    画像形成部
５０    液晶パネル
５１    発光ダイオード
【図１】
0005608547.tif 000002
【図２】
0005608547.tif 000003
【図３】
0005608547.tif 000004
【図４】
0005608547.tif 000005
【図５】
0005608547.tif 000006
【図６】
0005608547.tif 000007
【図７】
0005608547.tif 000008
【図８】
0005608547.tif 000009